(57)【要約】【課題】画像形成装置の設定をウェブページベースの画面で行う場合に、そのウェブサイト内の検索を効率的の行うことができる技術を提供する。【解決手段】ユーザーは、検索をしたい検索対象文字列を検索クリエ領域に入力し、表示領域指定メニューをプルダウンさせて選択項目を表示させ所望のものを選択する。ユーザーが検索実行ボタンを押下すると、管理ツール部３０は検索用ＤＢ５２を参照して関連のある情報を抽出する。検索結果は、検索結果表示領域に表示される。ここで検索結果として、「画面遷移」に相当する情報が表示される。検索結果にはリンクが張られており、希望の検索結果をクリックして選択することで、リンク先の設定画面に表示が遷移する。【選択図】図２
2015162065.tif 000002
【特許請求の範囲】
【請求項１】
設定画面に記載された文字列を検索する機能を備える画像形成装置であって、
検索文字列の検索があった場合に、前記設定画面において前記検索文字列が表示される領域を指定して検索を実行し、検索結果を前記文字列が記載されている場所を示す画面遷移情報として表示する設定管理部を有することを特徴とする画像形成装置。
【請求項２】
前記設定管理部は、前記検索文字列が表示される領域の指定を受けることを特徴とする請求項１に記載の画像形成装置。
【請求項３】
検索対象となる文字列と、前記文字列が表示されている領域と、前記文字列が表示されている画面の特定する画面遷移情報とを関連づけて保持する検索用データベースを備え、
前記設定管理部は、前記検索の際に、前記検索用データベースを参照することを特徴とする請求項２に記載の画像形成装置。
【請求項４】
前記設定画面は、ウェブページ形式で記載されていることを特徴とする請求項１〜３までのいずれかに記載の画像形成装置。
【請求項５】
画像形成装置の設定画面に記載された文字列を検索する検索方法であって、
検索対象となる文字列の指定を受ける検索文字指定工程と、
前記文字列の検索結果を、前記文字列が記載されている場所を示す画面遷移情報として表示する検索結果表示工程と
を実行することを特徴とする検索方法。
【請求項６】
前記文字列が表示されている領域の指定を受ける領域指定工程を実行することを特徴とする請求項５に記載の検索方法。
【請求項７】
検索対象となる文字列と、前記文字列が表示されている領域と、前記文字列が表示されている画面を特定する画面遷移情報とを関連づけて保持する検索用データベースを参照して参照工程を実行することを特徴と請求項６に記載の検索方法。
【請求項８】
前記設定画面は、ウェブページ形式で記載されていることを特徴とする請求項５〜７までのいずれかに記載の検索方法。
【発明の詳細な説明】
【技術分野】
【０００１】
本発明は、画像形成装置及び検索プログラムに係り、例えば所定の表示部にブラウザ上で設定画面を表示させて装置の設定を行う機能を備えた画像形成装置及び検索方法に関する。
【背景技術】
【０００２】
コピーやプリンタ、複合機等の画像形成装置では、各種の設定を行う場合、ネットワーク等で接続されたＰＣ上にウェブページで設定画面を表示させて、ユーザーの設定を受け付ける構成がある。ウェブページは、例えばＨＴＭＬ（HyperText Markup Language）形式で記載されており、この形式の文書では、他のページや文書へのリンクを設定したりすることができる。ユーザーは、ウェブページのそのリンクを辿りながら所望の画面へ行くことになる。
【０００３】
ＨＴＭＬ形式のウェブページは、上述の様に他のページへのリンクを設定できることから、複数ページで構成されることが多く、参照関係や表示態様が煩雑になって、ユーザーの利便性を損なってしまうことがある。
【０００４】
そこで、例えば、複数のページとページ間の参照関係により構成されるハイパーメディア文書の文書構成の一覧を、限られた表示面積の中で、より多くの文書構造が容易に把握
できるように表示するように配慮した技術がある（例えば特許文献１参照）。具体的には、この技術では、ハイパーメディア文書中のある参照元ページから参照可能な複数の参照先ページを、文書構成の一覧表示上において、参照元ページの表示位置の近傍に確保した矩形の参照先ページ出力領域内に縦横に近接して配置して表示する。
【先行技術文献】
【特許文献】
【０００５】
【特許文献１】特開平９-１３４３０５号公報
【発明の概要】
【発明が解決しようとする課題】
【０００６】
ところで、ウェブページから特定の設定値を変更したい場合、該当の設定値がどの画面に存在するのか調べるためにサイト内検索を実施することがある。この場合、ウェブページに表示される文字列全てが検索対象になってしまい、表示された検索結果から目的の設定値を探すのは煩わしいという課題があった。
【０００７】
特許文献１に開示の技術では、ページ間の参照関係は把握できるものの、検索に関しては考慮されておらず、別の技術が必要とされていた。
【０００８】
本発明はこのような状況に鑑みてなされたものであり、上記課題を解決できる技術を提供することを目的とする。
【課題を解決するための手段】
【０００９】
本発明は、設定画面に記載された文字列を検索する機能を備える画像形成装置であって、検索文字列の検索があった場合に、前記設定画面において前記検索文字列が表示される領域を指定して検索を実行し、検索結果を前記文字列が記載されている場所を示す画面遷移情報として表示する設定管理部を有する。
前記設定管理部は、前記検索文字列が表示される領域の指定を受けてもよい。
また、検索対象となる文字列と、前記文字列が表示されている領域と、前記文字列が表示されている画面の特定する画面遷移情報とを関連づけて保持する検索用データベースを備え、前記設定管理部は、前記検索の際に、前記検索用データベースを参照してもよい。
また、前記設定画面は、ウェブページ形式で記載されてもよい。
本発明は、画像形成装置の設定画面に記載された文字列を検索する検索方法であって、検索対象となる文字列の指定を受ける検索文字指定工程と、前記文字列の検索結果を、前記文字列が記載されている場所を示す画面遷移情報として表示する検索結果表示工程とを実行する。
また、前記文字列が表示されている領域の指定を受ける領域指定工程を実行してもよい。
また、検索対象となる文字列と、前記文字列が表示されている領域と、前記文字列が表示されている画面の特定する画面遷移情報とを関連づけて保持する検索用データベースを参照する参照工程を実行してもよい。
また、前記設定画面は、ウェブページ形式で記載されてもよい。
【発明の効果】
【００１０】
本発明によると、画像形成装置の設定をウェブページベースの画面で行う場合に、そのウェブサイト内の検索を効率的の行うことができる技術を提供することができる。
【図面の簡単な説明】
【００１１】
【図１】実施形態に係る、画像形成システムの構成を示す図である。
【図２】実施形態に係る、画像形成装置の機能ブロック図である。
【図３】実施形態に係る、ＰＣに表示される設定画面を示す図である。
【図４】実施形態に係る、記憶部の検索用ＤＢに保持される検索用の管理テーブルを示す図である。
【図５】実施形態に係る、サイト内検索のためのユーザーインターフェイスの画面イメージを示す図である。
【発明を実施するための形態】
【００１２】
以下、本発明を実施するための形態（以下、「実施形態」という）を、図面を参照して説明する。
【００１３】
図１は、本実施形態に係る画像形成システム１の構成を示す。画像形成システム１は、画像形成装置１０とＰＣ９０とを備え、それらがネットワーク２で通信可能に接続されている。
【００１４】
画像形成装置１０はコピーやプリンタ、複合機等であって、ＰＣ９０から印刷やスキャン等の操作がなされるとともに、各種設定の操作がなされる。
【００１５】
図２は、画像形成装置１０の構成を示す機能ブロック図であって、ここで主にＰＣ９０からの設定に着目して示している。
【００１６】
画像形成装置１０は、制御部２０と、通信ＩＦ２２と、操作部２４と、表示部２６と、画像処理部２８と、記憶部５０とを備える。
【００１７】
制御部２０は、ＭＰＵ（Micro-Processing Unit）、ＲＯＭ（Read Only Memory）、ＲＡＭ（Random Access Memory）等を備え、各種の処理を行う。さらに、制御部２０は管理ツール部３０を備え、この管理ツール部３０は、画像形成装置１０の動作等に関する各種の設定処理を行う。
【００１８】
通信ＩＦ２２は、一般的な通信用のインタフェイスであって、有線／無線ＬＡＮのインタフェイスやＵＳＢインタフェイスである。画像形成装置１０は、通信ＩＦ２２を介してネットワーク２に接続されたＰＣ９０と通信を行う。
【００１９】
表示部２６は、画像形成装置１０の動作状態等を表示する。操作部２４は、画像形成装置１０の操作を受け付けるユーザーインターフェイスであり、各種のボタン等が配置される。なお、表示部２６がタッチパネル式である場合には、操作部２４と表示部２６とは一体に構成される。
【００２０】
画像処理部２８は、ＰＣ９０から印刷データを取得して印刷する印刷機能や、画像を読み取って印刷するコピー機能、画像を読み取って所定のファイルとして保存するスキャナー機能を有する。
【００２１】
記憶部５０は、ＲＡＭやＨＤＤ（Hard Disk Drive）等で構成される記憶装置であって、ＰＣ９０からの印刷データを保存したり、スキャナー機能を用いた場合に画像データを保存したりする。また、記憶部５０は、次に説明する管理ツール部３０の検索機能を効果的に実現するための所定のデータ（図４のテーブル）を保持する。
【００２２】
管理ツール部３０は、画像形成装置１０の各種設定を行う機能を有する。画像形成装置１０自身の操作で設定を行う場合、管理ツール部３０は、表示部２６に所定の情報を表示させ、操作部２４へのユーザー操作によって行う。より具体的には、管理ツール部３０は、ＨＴＴＰサーバー機能を有しており、画像形成装置１０の動作状況をＰＣ９０のウェブブラウザーが解釈可能データ形式（例えば、ＨＴＭＬ形式）にて保存している。そして、管理ツール部３０は、ＰＣ９０からアクセスがあると、ＨＴＭＬファイルをＰＣ９０に転送する。このような構成とすることで、ＰＣ９０は、ウェブブラウザーに画像形成装置１０の動作状況を確認可能及び設定可能に表示する。なお、制御方法として、ＰＣ９０からのＨＴＭＬ指示ファイル中で、ＣＧＩ（Common Gateway Interface）スクリプトを実行するよう記述し、ＰＣ９０のウェブブラウザー上でＣＧＩスクリプトを実行し、ＰＣ９０のウェブブラウザー上で画像形成装置１０のＨＴＴＰサーバーを直接制御する方法が用いられてもよい。
【００２３】
ＰＣ９０から画像形成装置１０の設定を行う場合、ユーザーは、ＰＣ９０から画像形成装置１０の所定の管理画面を呼び出し、一般的なウェブブラウザーベースの設定を行う。例えば、ＰＣ９０と画像形成装置１０とがＬＡＮ経由で接続されている場合、ユーザーは、ウェブブラウザーを起動させ、所定の管理用ＩＰアドレスを用いて、画像形成装置１０にアクセスする。そのアクセスを受けると、画像形成装置１０では、管理ツール部３０がユーザー認証処理を行った後、ユーザーからの各種設定、例えばシステム設定や通信設定、言語設定等の操作を受け付ける。設定情報は、記憶部５０に保持され適宜更新される。
【００２４】
つづいて、本実施形態で特徴的な検索処理について図３〜図５を参照して説明する。図３は、ＰＣ９０に表示される設定画面の例を示す。ここでは、ウェブブラウザーのアドレス領域Ａ１１に管理用ＩＰアドレスが入力され、設定画面が表示された状態を示している。ここではサイドメニューＡ１２で項目「Device Setting」が選択された状態を示している。
【００２５】
図４は、記憶部５０の検索用ＤＢ５２に保持される検索用の管理テーブルの例を示す。図３で示したようなウェブページによる設定画面を有する場合、図４の管理テーブルは、例えば、「オブジェクトタイプ」、「表示メッセージ」、「画面遷移」の３つの情報を関連付けて記録されている。なお、図３とは異なるウェブページの設定画面、例えば、サイドメニューＡ１２の項目「Address Book」の設定画面については、同様の管理テーブルが保持されている。
【００２６】
ここで、オブジェクトタイプとは、表示メッセージがどのような領域に表示されているかを表す情報である。表示メッセージとは、実際にウェブページに表示されるメッセージである。表示メッセージが、ユーザーが指定した検索対象文字列と一致する場合に、画面遷移を表す情報が抽出され選択可能に表示される。画面遷移とは、表示するページまでの画面遷移を表す情報であって、サイドメニュー単位でどのような階層を辿るかが分かるようになっている。
【００２７】
図５は、サイト内検索のためのユーザーインターフェイスの画面イメージを示す例である。ユーザーは、検索をしたい内容（検索対象文字列）をテキストで検索クリエ領域Ｂ１１に入力し、表示領域指定メニューＢ１２をプルダウンさせて選択項目を表示させ所望のものを選択する。その後、ユーザーが検索実行ボタンＢ１３を押下すると、管理ツール部３０は検索用ＤＢ５２を参照して関連のある情報を抽出する。抽出結果（検索結果）は、検索結果表示領域Ｂ１４に表示される。ここで検索結果として、図４の「画面遷移」に相当する情報が表示される。検索結果にはリンクが張られており、希望の検索結果をクリックして選択することで、リンク先の設定画面に表示が遷移する。
【００２８】
本実施形態によると、サイト内検索の検索対象を特定の領域に表示された文字列に限定することで、画像形成装置１０の設定をウェブページベースの画面で行う場合におけるウェブサイト内の検索を効率的の行うことができる。
【００２９】
特に、画像形成装置１０は、設定項目が多数あり多岐にわたることが多い。そのため、予め検索対象を特定の領域に表示された文字列に限定する検索手法は、ユーザーの利便性を向上させる。設定作業は一度行うと、次の設定作業まで期間が空くことがあり、設定作業に慣れることが難しいケースもあることから、主要な設定項目に短時間でたどり着けることができるので、作業効率を高めることができる。
【００３０】
以上、本発明を実施形態をもとに説明した。この実施形態は例示であり、それらの各構成要素の組み合わせにいろいろな変形例が可能なこと、またそうした変形例も本発明の範囲にあることは当業者に理解されるところである。例えば、サイト内検索の検索対象を特定の領域に表示された文字列に限定する検索の他にサイト内全てを検索対象とする処理を別途設けて、ユーザーが何れの検索手法を用いるかを選択させてもよい。また、検索の為にＰＣ９０を用いたが、当然に画像形成装置１０の表示部２６が十分に表示可能なスペックを有する場合には、表示部２６及び操作部２４による操作によって同様の検索がなされてもよい。また、ＰＣ９０から画像形成装置１０の設定を行う場合の機能として、管理ツール部３０に備わるＨＴＴＰサーバー機能が用いられているが、ＰＣ９０に同様の機能のアプリケーションがインストールされて実行されてもよい。
【符号の説明】
【００３１】
１  画像形成システム
２  ネットワーク
１０  画像形成装置
２０  制御部
２２  通信ＩＦ
２４  操作部
２６  表示部
２８  画像処理部
３０  管理ツール部（設定管理部）
５０  記憶部
５２  検索用ＤＢ
９０  ＰＣ
【図１】
2015162065.tif 000003
【図２】
2015162065.tif 000004
【図３】
2015162065.tif 000005
【図４】
2015162065.tif 000006
【図５】
2015162065.tif 000007